【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ネットワークにおけるユーザ機器（ＵＥ）によるワイヤレス通信のための方法であって、
前記ＵＥが前記ネットワークにおいて基地局と間接的にそれを通して通信し得る、１つまたは複数の中間デバイスを特定するために、発見プロシージャを実行することと、
中間デバイスと前記基地局との間の信号強度を含む、前記発見プロシージャによって特定される前記中間デバイスからの情報を受信することと、および
１つまたは複数の基準に基づいて、より大きいシステム帯域幅の少なくとも１つの狭帯域領域を介して直接的に前記基地局と通信すべきか、または前記中間デバイスを介して間接的に前記ネットワークと通信すべきかを決定することと
を備え、前記１つまたは複数の基準は、前記中間デバイスと前記基地局との間の前記信号強度を伴う基準を備える、方法。
【請求項２】
前記１つまたは複数の基準は、
前記発見プロシージャが、前記ＵＥの近傍にある中間デバイスを特定するか否か、
前記ＵＥと前記基地局との間の信号強度を伴う基準、
前記ＵＥと中間デバイスとの間の信号強度を伴う基準、
のうちの少なくとも１つを備える、請求項１に記載の方法。
【請求項３】
前記発見プロシージャは、
１つまたは複数の中間デバイスからの発見信号を探索すること、または
１つまたは複数の中間デバイスからのあらかじめ定義された発見信号を探索することのうちの少なくとも１つを伴う、請求項１に記載の方法。
【請求項４】
中間デバイスを介して間接的に前記基地局と通信することが決定される場合、中間デバイスとのデバイス間（Ｄ２Ｄ）接続のセットアップを実行することをさらに備える、請求項１に記載の方法。
【請求項５】
直接的に前記基地局と通信することを決定する場合、ランダムアクセスチャネル（ＲＡＣＨ）プロシージャを実行することをさらに備える、請求項１に記載の方法。
【請求項６】
前記ネットワークの基地局と直接的に通信することから、中間デバイスを介して前記ネットワークと間接的に通信することに変化することをさらに備え、
特に、前記変化は、
前記ＵＥと前記中間デバイスとの間の測定されたリンク品質、
前記ＵＥと前記基地局との間の測定されたリンク品質、または
前記中間デバイスと前記基地局との間の測定されたリンク品質
のうちの少なくとも１つによってプロンプトされる、請求項１に記載の方法。
【請求項７】
前記ネットワークからページを受信することをさらに備え、ここにおいて、前記ページは、前記中間デバイスを介して受信されるか、または前記基地局から直接的に受信され、
前記方法は、特に、前記基地局から直接的に受信された前記ページに応答して、前記中間デバイスとの接続を確立することをさらに備える、請求項１に記載の方法。
【請求項８】
ネットワークにおける装置によるワイヤレス通信のための方法であって、
より大きいシステム帯域幅の少なくとも１つの狭帯域領域を介して前記ネットワークにおいて基地局と通信することが可能な第１のタイプのユーザ機器（ＵＥ）による前記装置の発見を可能にするために、発見プロシージャに関する１つまたは複数のパラメータを決定することと、
発見信号を送信することを控えながら、前記装置から前記基地局への信号品質のインジケータを測定することと、および
前記決定された１つまたは複数のパラメータに従って前記発見信号を送信することと
を備え、前記発見信号を送信することは、前記発見信号のうちの少なくとも１つ中の信号品質の前記インジケータを送信することを備える、方法。
【請求項９】
前記１つまたは複数のパラメータは、あらかじめ決定された発見シーケンスまたは発見信号の送信のタイミングのうちの少なくとも１つを備える、請求項８に記載の方法。
【請求項１０】
前記ＵＥとの接続を確立することと、および
前記ＵＥが前記装置を介して前記基地局と間接的に通信することを可能にする、中間デバイスとしてサービスすることと
をさらに備える、請求項８に記載の方法。
【請求項１１】
ユーザ機器（ＵＥ）によるワイヤレス通信のための装置であって、
前記ＵＥが前記ネットワークにおいて基地局と間接的にそれを通して通信し得る、１つまたは複数の中間デバイスを特定するために、発見プロシージャを実行するための手段と、
中間デバイスと前記基地局との間の信号強度を含む、前記発見プロシージャによって特定される前記中間デバイスからの情報を受信するための手段と、および
１つまたは複数の基準に基づいて、より大きいシステム帯域幅の少なくとも１つの狭帯域領域を介して直接的に前記基地局と通信すべきか、または前記中間デバイスを介して間接的に前記ネットワークと通信すべきかを決定するための手段と
を備え、前記１つまたは複数の基準は、前記中間デバイスと前記基地局との間の前記信号強度を伴う基準を備える、装置。
【請求項１２】
様々な前記手段は、
前記ＵＥが前記ネットワークの前記基地局と間接的にそれを通して通信し得る、前記１つまたは複数の中間デバイスを特定するために、前記発見プロシージャを実行することと、
前記中間デバイスと前記基地局との間の前記信号強度を含む、前記発見プロシージャによって特定される前記中間デバイスからの情報を受信することと、および
前記１つまたは複数の基準に基づいて、より大きいシステム帯域幅の少なくとも１つの狭帯域領域を介して直接的に前記基地局と通信すべきか、または前記中間デバイスを介して間接的に前記ネットワークと通信すべきかを決定することと
を行うように構成された少なくとも１つのプロセッサと、および
前記少なくとも１つのプロセッサと結び付けられたメモリと
を用いて実施される、請求項１１に記載の装置。
【請求項１３】
ワイヤレス通信のための装置であって、
より大きいシステム帯域幅の少なくとも１つの狭帯域領域を介して前記ネットワークにおいて基地局と通信することが可能な第１のタイプのユーザ機器（ＵＥ）による前記装置の発見を可能にするために、発見プロシージャに関する１つまたは複数のパラメータを決定するための手段と、
発見信号を送信することを控えながら、前記装置から前記基地局への信号品質のインジケータを測定するための手段と、および
前記決定された１つまたは複数のパラメータに従って前記発見信号を送信するための手段と
を備え、前記発見信号を送信することは、前記発見信号のうちの少なくとも１つ中の信号品質の前記インジケータを送信することを備える、装置。
【請求項１４】
様々な前記手段は、
より大きいシステム帯域幅の少なくとも１つの狭帯域領域を介して前記ネットワークにおいて前記基地局と通信することが可能な前記第１のタイプの前記ＵＥによる前記装置の発見を可能にするために、前記発見プロシージャに関する前記１つまたは複数のパラメータを決定することと、および
前記ネゴシエートされたパラメータに従って前記発見信号を送信することと
を行うように構成された少なくとも１つのプロセッサと、および
前記少なくとも１つのプロセッサと結び付けられたメモリと
を用いて実施される、請求項１３に記載の装置。
【請求項１５】
請求項１〜１０のいずれか一項に記載の方法を実行するための命令を備えるコンピュータプログラム。
【手続補正２】
【補正対象書類名】明細書
【補正対象項目名】０１１２
【補正方法】変更
【補正の内容】
【０１１２】
[00120]本開示の以上の記述は、いかなる当業者も本開示を作成または使用することができるように与えたものである。本開示への様々な変更は当業者には容易に明らかになり、および本明細書で定義された一般原理は、本開示の趣旨または範囲から逸脱することなく他の変形形態に適用され得る。したがって、本開示は、本明細書で記述された例および設計に限定されるものではなく、しかしながら本明細書で開示された原理および新規の特徴に合致する最も広い範囲を与えられるべきである。
以下に、本願の出願当初の特許請求の範囲に記載された発明を付記する。
［Ｃ１］
ネットワークにおけるユーザ機器（ＵＥ）によるワイヤレス通信のための方法であって、
前記ＵＥが前記ネットワークにおいて基地局と間接的にそれを通して通信し得る、１つまたは複数の中間デバイスを特定するために、発見プロシージャを実行することと、および
１つまたは複数の基準に基づいて、より大きいシステム帯域幅の少なくとも１つの狭帯域領域を介して直接的に前記基地局と通信すべきか、または前記発見プロシージャによって特定される中間デバイスを介して間接的に前記ネットワークと通信すべきかを決定することと
を備える、方法。
［Ｃ２］
前記１つまたは複数の基準は、
前記発見プロシージャが、前記ＵＥの近傍にある中間デバイスを特定するか否か、
前記ＵＥと前記基地局との間の信号強度を伴う基準、
前記ＵＥと中間デバイスとの間の信号強度を伴う基準、または
前記中間デバイスと前記基地局との間の信号強度を伴う基準
のうちの少なくとも１つを備える、Ｃ１に記載の方法。
［Ｃ３］
前記中間デバイスと前記基地局との間の信号強度を含む、前記中間デバイスからの情報を受信することをさらに備える、Ｃ１に記載の方法。
［Ｃ４］
前記１つまたは複数の中間デバイスは、同じくより大きいシステム帯域幅の少なくとも１つの狭帯域領域を介して前記基地局と通信する、フォン、低電力基地局、リモートラジオヘッド、またはハブデバイスのうちの少なくとも１つを備える、Ｃ１に記載の方法。
［Ｃ５］
前記発見プロシージャは、
１つまたは複数のセルからの同期信号を探索すること、
１つまたは複数の中間デバイスからの発見信号を探索すること、または
１つまたは複数の中間デバイスからのあらかじめ定義された発見信号を探索することのうちの少なくとも１つを伴う、Ｃ１に記載の方法。
［Ｃ６］
前記発見プロシージャを実行するために１つまたは複数のパラメータをネゴシエートすることをさらに備える、Ｃ１に記載の方法。
［Ｃ７］
中間デバイスを介して間接的に前記基地局と通信することが決定される場合、中間デバイスとのデバイス間（Ｄ２Ｄ）接続のセットアップを実行することをさらに備える、Ｃ１に記載の方法。
［Ｃ８］
直接的に前記基地局と通信することを決定する場合、ランダムアクセスチャネル（ＲＡＣＨ）プロシージャを実行することをさらに備える、Ｃ１に記載の方法。
［Ｃ９］
前記発見プロシージャがどのように実行されるかは、前記ＵＥが前記基地局のカバレージ中にあるか否かに依存する、Ｃ１に記載の方法。
［Ｃ１０］
前記ネットワークの基地局と直接的に通信することから、中間デバイスを介して前記ネットワークと間接的に通信することに変化することをさらに備える、Ｃ１に記載の方法。
［Ｃ１１］
前記変化は、
前記ＵＥと前記中間デバイスとの間の測定されたリンク品質、
前記ＵＥと前記基地局との間の測定されたリンク品質、または
前記中間デバイスと前記基地局との間の測定されたリンク品質
のうちの少なくとも１つによってプロンプトされる、Ｃ１０に記載の方法。
［Ｃ１２］
前記中間デバイスと前記基地局との間のリンク品質がしきい値レベルを下回る場合、前記発見は実行されない、Ｃ１に記載の方法。
［Ｃ１３］
前記発見プロシージャの結果に基づいて、無線リンク監視プロシージャを変更することをさらに備え、ここにおいて、前記無線リンク監視を前記変更することは、前記発見プロシージャの前記結果に依存して、無線リンクの障害を宣言することを備える、Ｃ１に記載の方法。
［Ｃ１４］
前記発見プロシージャの間に特定される中間デバイス間で前記ＵＥをハンドオーバするためのアクションをとることをさらに備える、Ｃ１に記載の方法。
［Ｃ１５］
前記ネットワークからページを受信することをさらに備え、ここにおいて、前記ページは、前記中間デバイスを介して受信されるか、または前記基地局から直接的に受信される、Ｃ１に記載の方法。
［Ｃ１６］
前記基地局から直接的に受信された前記ページに応答して、前記中間デバイスとの接続を確立することをさらに備える、Ｃ１５に記載の方法。
［Ｃ１７］
ネットワークにおける装置によるワイヤレス通信のための方法であって、
より大きいシステム帯域幅の少なくとも１つの狭帯域領域を介して前記ネットワークにおいて基地局と通信することが可能な第１のタイプのユーザ機器（ＵＥ）による前記装置の発見を可能にするために、発見プロシージャに関する１つまたは複数のパラメータを決定することと、および
前記決定された１つまたは複数のパラメータに従って発見信号を送信することと
を備える、方法。
［Ｃ１８］
前記決定することは前記ＵＥとネゴシエートすることを備える、Ｃ１７に記載の方法。
［Ｃ１９］
前記１つまたは複数のパラメータは、あらかじめ決定された発見シーケンスまたは発見信号の送信のタイミングのうちの少なくとも１つを備える、Ｃ１７に記載の方法。
［Ｃ２０］
前記ＵＥとの接続を確立することと、および
前記ＵＥが前記装置を介して前記基地局と間接的に通信することを可能にする、中間デバイスとしてサービスすることと
をさらに備える、Ｃ１７に記載の方法。
［Ｃ２１］
前記発見信号を送信することを控えながら、前記装置から前記基地局への信号品質のインジケータを測定することと、および
信号品質の前記インジケータに基づいて、前記発見信号のうちの少なくとも１つ中の信号品質の前記インジケータを送信すること、または前記発見信号を送信することを控えることのうちの少なくとも１つと
をさらに備える、Ｃ１７に記載の方法。
［Ｃ２２］
ユーザ機器（ＵＥ）によるワイヤレス通信のための装置であって、
前記ＵＥが前記ネットワークの基地局と間接的にそれを通して通信し得る、１つまたは複数の中間デバイスを特定するために、発見プロシージャを実行することと、および
１つまたは複数の基準に基づいて、より大きいシステム帯域幅の少なくとも１つの狭帯域領域を介して直接的に前記基地局と通信すべきか、または前記発見プロシージャによって特定される中間デバイスを介して間接的に前記ネットワークと通信すべきかを決定することと
を行うように構成された少なくとも１つのプロセッサと、および
前記少なくとも１つのプロセッサと結び付けられたメモリと
を備える、装置。
［Ｃ２３］
前記１つまたは複数の基準は、
前記発見プロシージャが、前記ＵＥの近傍にある中間デバイスを特定するか否か、
前記ＵＥと前記基地局との間の信号強度を伴う基準、
前記ＵＥと中間デバイスとの間の信号強度を伴う基準、または
前記中間デバイスと基地局との間の信号強度を伴う基準
のうちの少なくとも１つを備える、Ｃ２２に記載の装置。
［Ｃ２４］
前記少なくとも１つのプロセッサは、中間デバイスを介して間接的に前記基地局と通信することが決定される場合、中間デバイスとのデバイス間（Ｄ２Ｄ）接続のセットアップを実行するようにさらに構成された、Ｃ２２に記載の装置。
［Ｃ２５］
前記少なくとも１つのプロセッサは、前記ネットワークの基地局と直接的に通信することから、中間デバイスを介して前記ネットワークと間接的に通信することに変化するようにさらに構成された、Ｃ２２に記載の装置。
［Ｃ２６］
前記変化は、
前記ＵＥと前記中間デバイスとの間の測定されたリンク品質、
前記ＵＥと前記基地局との間の測定されたリンク品質、または
前記中間デバイスと前記基地局との間の測定されたリンク品質
のうちの少なくとも１つによってプロンプトされる、Ｃ２５に記載の装置。
［Ｃ２７］
ワイヤレス通信のための装置であって、
より大きいシステム帯域幅の少なくとも１つの狭帯域領域を介して基地局ネットワークと通信することが可能な第１のタイプのユーザ機器（ＵＥ）による前記装置の発見を可能にするために、発見プロシージャに関する１つまたは複数のパラメータを決定することと、および
前記ネゴシエートされたパラメータに従って発見信号を送信することと
を行うように構成された少なくとも１つのプロセッサと、および
前記少なくとも１つのプロセッサと結び付けられたメモリと
を備える、装置。
［Ｃ２８］
前記１つまたは複数のパラメータは、あらかじめ決定された発見シーケンスまたは発見信号の送信のタイミングのうちの少なくとも１つを備える、Ｃ２７に記載の装置。
［Ｃ２９］
前記少なくとも１つのプロセッサは、
前記ＵＥとの接続を確立することと、および
前記ＵＥが前記装置を介して前記基地局と間接的に通信することを可能にする、中間デバイスとしてサービスすることと
を行うようにさらに構成された、Ｃ２７に記載の装置。
［Ｃ３０］
前記少なくとも１つのプロセッサは、
前記発見信号を送信することを控えながら、前記装置から前記基地局への信号品質のインジケータを測定することと、および
信号品質の前記インジケータに基づいて、前記発見信号のうちの少なくとも１つ中の信号品質の前記インジケータを送信すること、または前記発見信号を送信することを控えることのうちの少なくとも１つと
を行うようにさらに構成された、Ｃ２７に記載の装置。